(57)【要約】【課題】ユーザが確認しやすいように情報を出力する。【解決手段】コードレス電話機（１）は、終話後に、親機（１０）または受話子機（２０）がガイダンス（情報の出力）を開始し、受話子機（２０）がガイダンスを実行している間に、受話子機（２０）が親機（１０）の受話子機充電部（１４）に置かれた場合、親機（１０）からのガイダンスの出力に切り替え、親機（１０）がガイダンスを実行している間に、受話子機（２０）が親機（１０）の受話子機充電部（１４）から上げられた場合、受話子機（２０）からのガイダンスの出力に切り替える。【選択図】図１
2018006876.tif 000002
【特許請求の範囲】
【請求項１】
親機、および上記親機と無線接続される受話器を備え、終話後に上記親機または上記受話器から、着信に関する情報を出力する電話機であって、
上記受話器が上記情報を出力している間に、上記受話器が上記親機の所定の位置に置かれた場合、上記親機からの上記情報の出力に切り替えること、および、
上記親機が上記情報を出力している間に、上記受話器が上記親機の上記所定の位置から上げられた場合、上記受話器からの上記情報の出力に切り替えること
の少なくとも一方を実行することを特徴とする電話機。
【請求項２】
終話時に上記受話器が上記親機の上記所定の位置に置かれた場合、上記親機が上記情報の出力を開始し、上記受話器に対する終話操作で終話した場合、上記受話器が上記情報の出力を開始することを特徴とする請求項１に記載の電話機。
【請求項３】
上記情報の出力元が、上記親機と上記受話器との間で、旧出力元から新出力元へ切り替えられるとき、
上記旧出力元は、上記情報の出力の進行状況を示す経過情報を、上記新出力元に送信し、
上記新出力元は、上記旧出力元から受信した上記経過情報に基づいて、上記情報を途中の段階から出力することを特徴とする請求項１または２に記載の電話機。
【請求項４】
上記情報の出力元は、上記親機と上記受話器との間で、複数回切り替えられることを特徴とする請求項１から３のいずれか１項に記載の電話機。
【請求項５】
上記受話器は、上記親機の上記所定の位置に置かれた後の所定時間、該受話器に対するキー入力を受け付けて、該キー入力の情報を上記親機へ送信し、
上記親機は、上記受話器から受信した上記キー入力の情報に基づいて動作することを特徴とする請求項１から４のいずれか１項に記載の電話機。
【発明の詳細な説明】
【技術分野】
【０００１】
本発明は、コードレス受話器を備えた電話機に関し、特に、終話後に親機またはコードレス受話器から情報を出力する電話機に関する。
【背景技術】
【０００２】
親機とコードレス受話器または子機とが無線で接続される電話機を、コードレス電話機あるいはコードレス電話装置（例えば、特許文献１参照）と呼ぶ。コードレス電話機の中には、終話後に情報を出力するものが存在する。例えば、未知の着信電話番号からの着信に応答し、終話した後で、上記着信電話番号を電話機に登録するユーザの操作を音声および表示で案内するコードレス電話機が存在する。
【０００３】
また、コードレス受話器の中には、受話や発信を行う子機としての機能を備えた受話器が存在する。子機としての機能を備えたコードレス受話器を、ここでは受話子機と呼ぶ。コードレス電話機が受話子機を備えている場合、親機および受話子機の両方が、電話回線を開放（オンフック）するための終話操作を受け付けることができる。すなわち、ユーザは、受話子機を親機に置く終話操作を行うこともできるし、受話子機に対し、受話子機の終話ボタンを押下する終話操作を行うこともできる。この構成では、コードレス電話機は、ユーザが案内を確認し易いように、また、ユーザが案内を見ながら操作をし易いように、受話子機が親機に置かれた場合には、親機が案内する。一方、受話子機に対する終話操作が行われた場合には、受話子機が案内する。
【先行技術文献】
【特許文献】
【０００４】
【特許文献１】特開平１１−１５５１７４号公報（１９９９年６月８日公開）
【発明の概要】
【発明が解決しようとする課題】
【０００５】
しかしながら、受話子機が情報を出力している途中で、受話子機が親機に置かれた場合、従来の受話子機は、情報の出力を中止して、待機状態（つまり、操作を受け付けない状態）になるので、ユーザは、出力される情報に基づく操作を継続することができない。また、親機に置かれた受話子機が情報の出力を継続する場合、ユーザは、受話子機を掴めないので、受話子機に対する操作をし難いという問題がある。
【０００６】
本発明は、前記の問題点に鑑みてなされたものであり、その目的は、ユーザが確認しやすいように情報を出力することにある。
【課題を解決するための手段】
【０００７】
上記の課題を解決するために、本発明の一態様に係るコードレス電話機は、親機、および上記親機と無線接続される受話器を備え、終話後に上記親機または上記受話器から、着信に関する情報を出力する電話機であって、上記受話器が上記情報を出力している間に、上記受話器が上記親機の所定の位置に置かれた場合、上記親機からの上記情報の出力に切り替えること、および、上記親機が上記情報を出力している間に、上記受話器が上記親機の上記所定の位置から上げられた場合、上記受話器からの上記情報の出力に切り替えることの少なくとも一方を実行する。
【発明の効果】
【０００８】
本発明の一態様によれば、ユーザが確認しやすいように情報を出力することができる。
【図面の簡単な説明】
【０００９】
【図１】実施形態１に係るコードレス電話機の構成を示すブロック図である。
【図２】実施形態１に係るコードレス電話機の構成を示す外観図である。
【図３】実施形態１に係るコードレス電話機の親機制御部および受話子機制御部が実行する終話後動作の流れを示すフローチャートである。
【図４】図３に示す終話後動作におけるガイダンス中の表示の遷移例を示す図である。
【図５】実施形態１に係るコードレス電話機の受話子機が、親機に置かれてから、待機状態へ遷移するまでの動作の流れを示す。
【発明を実施するための形態】
【００１０】
〔実施形態１〕
以下、本発明の実施の形態について、詳細に説明する。
【００１１】
（コードレス電話機１の構成）
図１および図２を用いて、本実施形態に係るコードレス電話機１（電話機）の構成を説明する。図１は、コードレス電話機１の構成を示すブロック図である。図２は、コードレス電話機１の外観図である。図１および図２に示すように、コードレス電話機１は、親機１０および受話子機２０（受話器）を備えている。
【００１２】
受話子機２０は、通話中でないとき、親機１０の受話子機充電部１４に置かれる。すなわち、受話子機２０は、親機１０の受話子機充電部１４に収容または載置される。ユーザは、受話または発信するために、親機１０の受話子機充電部１４から、受話子機２０を上げる。受話子機２０は、親機１０から上げられたとき、オフフックされて（すなわち、電話回線を掴んで）、通話可能な状態になる。終話後、受話子機２０は親機１０の所定の位置（すなわち、受話子機充電部１４内）に置かれることにより、電話回線を開放（オンフック）する。
【００１３】
受話子機２０は通常の子機のように、通話ボタンおよび終話ボタン（図２の受話子機入力部２３）を備えている。ユーザは、受話子機２０を親機１０に置く代わりに、受話子機２０の終話ボタンを押下することにより、終話することができる。また、ユーザは、前回の通話時に、受話子機２０の終話ボタンを押下することによって終話した場合、通話ボタンを押下することによって、受話子機２０を通話可能な状態にすることができる。親機と受話子機２０とは、無線接続されることによって、データ通信する。コードレス電話機１は、電話通信網と接続されている。着信時に、コードレス電話機１は、着信電話番号の情報を交換機から受信する。
【００１４】
コードレス電話機１には、ユーザが「あんしん番号」および「お断り番号」を登録することが可能である。また、コードレス電話機１は、未知の着信電話番号（例えば、電話帳に登録されていない電話番号）からの着信に応答し、終話した後で、上記着信電話番号をコードレス電話機１に登録するためのユーザの操作を案内する動作（以下では、ガイダンスと呼ぶ）を実行する。ユーザは、ガイダンスにしたがって操作することで、コードレス電話機１に、着信電話番号を、「あんしん番号」または「お断り番号」として、登録することができる。ここで、「あんしん番号」とは、ユーザがその電話番号を使用する人物を安全であると判断した電話番号（例えば、友人や家族の電話番号）である。また、「お断り番号」とは、ユーザがその電話番号からの着信に応答することを拒否することを希望する電話番号（例えば、セールスや勧誘の電話番号）である。なお、コードレス電話機１は、ネットワーク（例えば、インターネット）上のサーバに収集されている危険な電話番号の情報を自動的に取得し、取得した危険な電話番号を、「お断り番号」として登録してもよい。
【００１５】
（親機１０の構成）
図１に示すように、親機１０は、親機表示部１１、親機制御部１２、親機入力部１３、受話子機充電部１４、および親機登録部１５を備えている。図２に示すように、親機１０の筐体の表面に、親機表示部１１が設けられている。親機表示部１１は、例えば、液晶表示デバイスであってよい。
【００１６】
親機制御部１２は、コードレス電話機１が未知の着信電話番号からの着信に応答し、かつ、親機１０に対する終話操作が行われた場合に、後述する終話後動作を実行する。ここで、親機１０に対する終話操作には、受話子機２０を親機１０の所定の位置に置く（すなわち、受話子機充電部１４へ受話子機２０を収容または載置する）操作が含まれる。
【００１７】
親機制御部１２は、着番号情報取得部１２１、ガイダンス実行部１２２、および着番号登録部１２３を含む。親機制御部１２の各部が実行する処理の詳細を、下記終話後動作の説明中で説明する。
【００１８】
親機入力部１３は、発信、応答、終話、および電話番号の登録等のユーザの操作を受け付ける。図２に示すように、親機入力部１３は、親機１０の筐体の表面に配置された物理的なキーおよびボタンを含む。受話子機充電部１４は、受話子機充電部１４上に正しく収容された受話子機２０を充電する。受話子機充電部１４は、例えば、端子接続式であってもよいし、電磁誘導式であってもよい。親機登録部１５には、前述した「あんしん番号」および「お断り番号」が登録されている。
【００１９】
（受話子機２０の構成）
図１に示すように、受話子機２０は、受話子機表示部２１、受話子機制御部２２、受話子機入力部２３、終話操作検出部２４、および受話子機登録部２５を備えている。受話子機２０の筐体の表面には、受話子機表示部２１が設けられている。受話子機表示部２１は、例えば、液晶表示デバイスであってよい。
【００２０】
受話子機制御部２２は、コードレス電話機１が未知の着信電話番号からの着信に応答し、かつ、受話子機２０に対する終話操作が行われた場合に、後述する終話後動作を実行する。ここで、受話子機２０に対する終話操作には、受話子機２０の受話子機入力部２３に含まれる終話ボタン（図２に示す受話子機２０の入力キー）の押下が含まれる。
【００２１】
受話子機制御部２２は、ガイダンス実行部２２１、および着番号登録部２２２を含む。受話子機入力部２３は、発信、応答、終話、および電話番号の登録等のユーザの操作を受け付ける。図２に示すように、受話子機入力部２３は、受話子機２０の筐体の表面に配置された物理的なキーおよびボタンを含む。終話操作検出部２４は、親機１０の受話子機充電部１４（図２参照）上に、受話子機２０が正しく（すなわち、受話子機２０が充電されるように）親機１０に置かれたことを検出する。終話操作検出部２４は、例えば、受話子機２０が無接点型である場合、受話子機充電部１４と受話子機２０のコイルとの間の電圧の変化に基づいて、受話子機２０が親機１０に置かれたことを検出してもよい。また、終話操作検出部２４は、例えば、受話子機２０が接点型である場合、受話子機充電部１４と受話子機２０の端子との間の電圧の変化に基づいて、受話子機２０が親機１０に置かれたことを検出してもよい。
【００２２】
受話子機登録部２５にも、前述した「あんしん番号」および「お断り番号」が登録されている。なお、親機登録部１５に登録された「あんしん番号」および「お断り番号」と、受話子機登録部２５に登録された「あんしん番号」および「お断り番号」とは、一致していてもよいし、互いに異なっていてもよい。親機登録部１５および受話子機登録部２５の「あんしん番号」および「お断り番号」を一致させるために、親機１０および受話子機２０は、新たな「あんしん番号」または「お断り番号」が登録されるごとに、または、所定時間ごとに、お互いの「あんしん番号」および「お断り番号」の情報を通信してもよい。
【００２３】
（終話後動作の流れ）
図３を用いて、親機制御部１２および受話子機制御部２２が実行する終話後動作の流れを説明する。図３は、終話後動作の流れを示すフローチャートである。なお、本実施形態では、親機１０または受話子機２０が、終話後にガイダンスを行う構成を説明する。しかしながら、親機１０または受話子機２０は、ガイダンスを行う代わりに、任意の情報（例えば、着信電話番号に関する情報）を、音声または表示等によって出力してよい。親機１０または受話子機２０が出力する情報は、ユーザの操作を要求するものであってもよいし、要求しないものであってもよい。
【００２４】
図３に示すように、コードレス電話機１は、未知の着信電話番号から着信を受ける（Ｓ１）。受話子機２０が親機１０から上げられることによって、受話子機２０で通話が開始される（Ｓ２）。すなわち、受話子機２０は、親機１０を介して、電話回線を掴み、相手の電話との間で音声データを送受信する状態になる。なお、着信時に、受話子機２０が既に親機１０から上げられていた場合、受話子機２０の通話ボタンが押下されることによって、受話子機２０で通話が開始される。
【００２５】
通話が終了した後、親機１０または受話子機２０に対して、終話操作が行われる（Ｓ３）。終話操作が、受話子機２０を親機１０に置く（すなわち、受話子機充電部１４に収容する）操作であったか、それ以外であったかによって、親機制御部１２および受話子機制御部２２は、どちらがガイダンスを実行するかを決定する。一変形例では、終話操作が、受話子機２０に対する終話操作であったか、親機１０に対する終話操作であったかによって、どちらがガイダンスを実行するかを決定してもよい。この構成では、受話子機２０の終話ボタンの押下は、受話子機２０に対する終話操作に含まれる。また、親機１０の終話ボタンの押下は、親機１０に対する終話操作に含まれる。受話子機２０を親機１０に置く操作は、親機１０に対する終話操作に含まれる。
【００２６】
終話操作が、受話子機２０を親機１０に置く操作であった場合（Ｓ４でＹｅｓ）、親機制御部１２がガイダンスを開始する（Ｓ５Ａ）。なお、親機制御部１２は、受話子機充電部１４から、受話子機２０が親機１０に置かれたことを示す情報を取得してよい。あるいは、受話子機２０は、受話子機充電部１４と上記コイルまたは上記端子との間に発生する電圧に基づいて、受話子機２０が親機１０に置かれたことを示す情報を生成し、親機１０は、無線通信によって、受話子機２０から、上記情報を受信してもよい。逆に、親機１０が、受話子機充電部１４のコイルまたは端子に発生する電圧に基づいて、上記情報を生成し、無線通信によって、受話子機２０に上記情報を送信してもよい。ユーザは、ガイダンスにしたがって、親機入力部１３に対するキー入力操作を行う。ガイダンスは、ユーザのキー入力操作に基づいて進行する。
【００２７】
一方、終話操作が受話子機２０を親機１０に置く操作以外（例えば、受話子機２０の終話ボタンの押下）であった場合（Ｓ４でＹｅｓ）、受話子機制御部２２がガイダンスを実行する（Ｓ５Ｂ）。ユーザは、ガイダンスにしたがって、受話子機入力部２３に対する入力操作を行う（図４参照）。ガイダンスは、ユーザの入力操作に基づいて進行する。なお、受話子機制御部２２は、ガイダンスを、受話子機表示部２１に表示してもよいし、受話子機２０のスピーカ（図２参照）から音声で出力してもよい。一変形例では、終話操作が、親機１０の終話ボタンの押下であった場合、親機制御部１２がガイダンスを実行してもよい。
【００２８】
親機制御部１２のガイダンス実行部１２２がガイダンスを開始した後（Ｓ５Ａ）、ガイダンスが終了する前に、受話子機充電部１４は、受話子機２０が親機１０から上げられたことを検出する（Ｓ６Ａ）。ここで、ガイダンスの途中で、ユーザが受話子機２０を親機１０から上げる場合として、例えば、ユーザが、受話子機２０に対して、キー入力操作を行いたいと考えた場合があり得る。
【００２９】
受話子機２０が親機１０から上げられずに、ガイダンスが終了した場合（Ｓ６ＡでＮｏ）、親機１０および受話子機２０は待機状態に遷移する（Ｓ８）。一方、ガイダンスが終了する前に、受話子機充電部１４が、受話子機２０が受話子機充電部１４から上げられたことを検出した場合（Ｓ６ＡでＹｅｓ）、親機制御部１２は、受話子機制御部２２と無線通信を行い、ガイダンスを引き継ぐよう受話子機制御部２２に指示するとともに、ガイダンスの経過情報を受話子機制御部２２に送信する（Ｓ７Ａ）。ガイダンスの経過情報には、ガイダンスがどの段階まで進行したかを示す情報と、ガイダンスの各段階で親機入力部１３がどのような操作を検出したかを示す情報とが含まれる。そして、終話後動作は、前述したＳ５Ｂに進む。ただし、受話子機制御部２２は、親機制御部１２から取得したガイダンスの経過情報を参照して、親機制御部１２がガイダンスを中断した段階から、ガイダンスを開始する。また、受話子機制御部２２は、親機入力部１３が検出していた操作を、受話子機入力部２３が検出した操作として扱う。なお、親機制御部１２は、受話子機制御部２２にガイダンスを引き継いだ後も、自らガイダンスを継続してもよい。
【００３０】
なお、受話子機制御部２２がガイダンスを引き継いだ後で、受話子機２０が再度、親機１０から上げられた場合、親機制御部１２が受話子機制御部２２からガイダンスを引き継いでもよいし、受話子機制御部２２がガイダンスを継続してもよい。すなわち、ガイダンスの引き継ぎは、親機制御部１２と受話子機制御部２２との間で、最大で所定回（１回または所定の複数回）まで、行われてよい。
【００３１】
受話子機制御部２２のガイダンス実行部２２１がガイダンスを開始した後（Ｓ５Ｂ）、ガイダンスが終了する前に、終話操作検出部２４が、受話子機２０が親機１０に置かれたことを検出する（Ｓ６Ｂ）。ここで、ガイダンスの途中で、ユーザが受話子機２０を親機１０に置く場合として、例えば、ユーザが、受話子機２０ではなく、親機１０に対して、キー入力等の操作を行いたいと考えた場合があり得る。
【００３２】
受話子機２０が親機１０に置かれずに、ガイダンスが終了した場合（Ｓ６ＢでＮｏ）、親機１０および受話子機２０は待機状態に遷移する（Ｓ８）。以上で終話後動作は終了する。一方、ガイダンスが終了する前に、終話操作検出部２４が、受話子機２０のオンフックを検出した場合（Ｓ６ＢでＹｅｓ）、受話子機制御部２２は、親機制御部１２と無線通信を行う。そして、ガイダンスを引き継ぐように親機制御部１２に指示するとともに、ガイダンスの経過情報を親機制御部１２に送信する（Ｓ７Ｂ）。そして、終話後動作は、前述したＳ５Ａに進む。
【００３３】
なお、親機制御部１２がガイダンスを引き継いだ後で、受話子機２０が再度、親機１０から上げられた場合、受話子機制御部２２が親機制御部１２からガイダンスを引き継いでもよいし、親機制御部１２がガイダンスを継続してもよい。すなわち、ガイダンスの引き継ぎは、親機制御部１２と受話子機制御部２２との間で、１回または所定の複数回まで、行われてよい。
【００３４】
〔実施形態２〕
他の実施形態では、受話子機２０は、特定の状況における動作を設定されてもよい。例えば、受話子機２０が親機１０から上げられたときに通話可能な状態になる（すなわち、電話回線を掴む）という動作（いわゆるクイック通話）が設定されていてよい。この構成では、上記動作に関する設定が有効である場合、受話子機２０は、図２のＳ７Ａにおいて、親機１０からガイダンスを引き継がず、設定に基づいて、上記動作を実行する。設定が解除されている場合、受話子機２０は、図２のＳ７Ａにおいて、親機１０からガイダンスを引き継いでもよい。
【００３５】
一変形例では、受話子機２０が、親機１０から上げられたときにキーロックされていた場合、受話子機２０は親機１０からガイダンスを引き継がなくてもよい。あるいは、受話子機２０がガイダンスを出力して、親機１０がガイダンスにしたがうユーザの操作を受け付けてもよい。
【００３６】
〔実施形態３〕
他の実施形態では、コードレス電話機１は、受話子機２０の他に、親機１０の受話器ではない通常の子機を備えていてもよい。子機は、受話子機２０と同様に、受話および終話の操作を受け付ける。しかし、子機は、受話子機２０とは異なり、親機１０から上げられたとしても、電話回線を掴まず、また通話可能な状態にならない。また、子機は、親機１０から上げられたとしても、終話しない。本実施形態の構成では、受話子機２０ではなく上記子機が、親機１０に置かれたり、親機１０から上げられたりする可能性がある。
【００３７】
親機１０は、上記子機が親機１０に置かれた場合、上記子機からガイダンスを引き継いでもよいし、引き継がなくてもよい。また、親機１０は、上記子機が親機１０から上げられた場合、上記子機にガイダンスを引き継いでもよいし、引き継がなくてもよい。また、親機１０は、上記子機が該子機の充電台（図示せず）から上げられた場合、ガイダンスを引き継いでもよいし、引き継がなくてもよい。
【００３８】
〔実施形態４〕
他の実施形態では、親機制御部１２から受話子機制御部２２へのガイダンスの引き継ぎ（図３のＳ７Ａ）または受話子機制御部２２から親機制御部１２へのガイダンスの引き継ぎ（図３のＳ７Ｂ）のどちらか一方は実行されなくてもよい。
【００３９】
（ガイダンスの具体例）
図４を用いて、受話子機２０のガイダンス実行部２２１が終話後に実行するガイダンスの流れを説明する。図４は、受話子機２０がガイダンスを行っているときの受話子機表示部２１の表示の遷移例を示す図である。なお、親機１０のガイダンス実行部１２２がガイダンスを行っているとき、親機表示部１１の表示は、図４に示す受話子機表示部２１の表示と同様に遷移する。
【００４０】
図４に示すように、終話後、ガイダンス実行部２２１は、まず、着信電話番号を「あんしん番号」または「お断り番号」のどちらかに登録するか、あるいはどちらにも登録しないか、ユーザに選択を求める（Ｓ２１０）。ユーザは、受話子機入力部２３の十字キーを操作して、受話子機表示部２１に表示される３つの選択肢（１：着信電話番号を「あんしん番号」に登録する。０：着信電話番号を「お断り番号」に登録する。切：着信電話番号を登録しない）のいずれかを選択することができる。あるいは、ユーザは、選択肢と対応付けられているキーのいずれかを押下することによって、いずれかの選択肢を選択することもできる。
【００４１】
Ｓ２１０において、ユーザが、着信電話番号を「あんしん番号」または「お断り番号」に登録することを選択した場合、ガイダンス実行部２２１は、着信電話番号を登録する前に、ユーザに操作の確認を求める（Ｓ２２０）。ユーザは、受話子機表示部２１に表示される「決定」を選択する。あるいは、ユーザは、登録をキャンセルする場合、「中止」を選択する。
【００４２】
Ｓ２２０において、ユーザが「決定」を選択した場合、着番号登録部２２２は着信電話番号を受話子機登録部２５に登録する（Ｓ２３０）。その後、ガイダンス実行部２２１はガイダンスを終了して、受話子機２０は待機状態に遷移する（Ｓ２４０）。なお、着番号登録部２２２が着信電話番号を受話子機登録部２５に登録した後、受話子機２０は、上記着信電話番号の情報を親機１０に送信してもよい。この構成では、親機１０の着番号登録部１２３は、受話子機２０から受信した着信電話番号を親機登録部１５に登録することができる。
【００４３】
〔実施形態５〕
本発明の他の実施形態について、図５に基づいて説明すれば、以下のとおりである。なお、説明の便宜上、前記実施形態にて説明した部材と同じ機能を有する部材については、同じ符号を付記し、その説明を省略する。
【００４４】
前記実施形態１で説明したように、受話子機２０が親機１０に置かれた場合、コードレス電話機１は待機状態に遷移する（図３のＳ８参照）。しかしながら、ユーザは、受話子機２０を親機１０に置いた後で、受話子機２０に対する操作を行う場合があり得る。そこで、本実施形態では、受話子機２０が、親機１０に置かれたときから所定時間が経過するまで、キー入力を受け付ける構成を説明する。
【００４５】
図５を用いて、実施形態２に係る受話子機２０の動作を説明する。図５は、受話子機２０が、親機１０に置かれてから、待機状態へ遷移するまでの動作の流れを示す。なお、以下で説明する受話子機２０の動作は、受話子機制御部２２によって制御される。
【００４６】
図５に示すように、まず、ユーザは、（例えば、受話子機２０を用いて通話した後で）受話子機２０を親機１０に置く（Ｓ３１０）。
【００４７】
受話子機２０は、親機（１０）に置かれた時点から、タイマーにより時間のカウントを開始する（Ｓ３２０）。なお、受話子機２０が所定時間をカウントする途中で親機１０から上げらされた場合、受話子機２０は、カウントを停止してもよいし、カウントをゼロに戻してもよい。そして、受話子機２０は、再度オンフックされた後、カウントを再開する。
【００４８】
その後、タイマーが所定時間をカウントする前に、受話子機２０に対するキー入力があった場合（Ｓ３３０でＹｅｓ）、受話子機２０は、上記キー入力の情報を親機１０へ通知する（Ｓ３４０）。受話子機２０に対するキー入力があった時点で、受話子機２０は、カウントをゼロに戻して、カウントをゼロから再開する。
【００４９】
受話子機２０は、タイムアップまで、すなわち、タイマーが所定時間をカウントし終えるまで、受話子機２０へのキー入力を検出する（Ｓ３３０）。そして、タイムアップ後（Ｓ３５０でＮｏ）、受話子機２０は待機状態へ遷移する（Ｓ３６０）。
【００５０】
上記の構成では、受話子機２０は、オンフックされた時点から、待機状態に遷移するまでの所定時間、キー入力を受け付ける。したがって、ユーザは、受話子機２０をオンフックした後で、受話子機２０に対する操作を行うことができる。
【００５１】
〔実施形態６〕
コードレス電話機１の制御ブロック（特に親機制御部１２および受話子機制御部２２）は、集積回路（ＩＣチップ）等に形成された論理回路（ハードウェア）によって実現してもよいし、ＣＰＵ（Central Processing Unit）を用いてソフトウェアによって実現してもよい。
【００５２】
後者の場合、コードレス電話機１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００５３】
〔まとめ〕
本発明の態様１に係る電話機（１）は、親機（１０）、および上記親機と無線接続される受話器（受話子機２０）を備え、終話後に上記親機または上記受話器から、着信に関する情報を出力する電話機であって、上記受話器が上記情報を出力している間に、上記受話器が上記親機の所定の位置に置かれた場合、上記親機からの上記情報の出力に切り替えること、および、上記親機が上記情報を出力している間に、上記受話器が上記親機の上記所定の位置から上げられた場合、上記受話器からの上記情報の出力に切り替えることの少なくとも一方を実行する。
【００５４】
上記の構成によれば、終話時に受話器が親機の所定の位置から上げられた場合、親機から情報が出力される。ユーザは、受話器を親機の所定の位置に置いたとき、親機の近傍にいるので、親機から出力される情報を確認し易い。また、受話器が親機の所定の位置から上げられている間は、受話器から情報が出力される。そのため、ユーザは、受話器から出力される情報に基づいて、受話器を操作することができる。また、上記の構成によれば、受話器が親機の所定の位置に置かれて、受話器が待機状態に遷移した場合であっても、親機が受話器から引き継いで情報を出力することができる。
【００５５】
本発明の態様２に係る電話機は、上記態様１において、終話時に上記受話器が親機の上記所定の位置に置かれた場合、上記親機が上記情報の出力を開始し、上記受話器に対する終話操作で終話した場合、上記受話器が上記情報の出力を開始する。したがって、ユーザは情報を確認し易い。また、受話器に対する操作を行いやすい。
【００５６】
本発明の態様３に係る電話機は、上記態様１または２において、上記情報の出力元が、上記親機と上記受話器との間で、旧出力元から新出力元へ切り替えられるとき、上記旧出力元は、上記情報の出力の進行状況を示す経過情報を、上記新出力元に送信し、上記新出力元は、上記旧出力元から受信した上記経過情報に基づいて、上記情報を途中の段階から出力してもよい。
【００５７】
上記の構成によれば、情報の出力元が切り替えられる前と後との間で、重複する情報が出力されない。したがって、ユーザの利便性が向上する。
【００５８】
本発明の態様４に係る電話機は、上記態様１から３のいずれかにおいて、上記情報の出力元は、上記親機と上記受話器との間で、複数回切り替えられてもよい。
【００５９】
上記の構成によれば、受話器が親機の所定の位置に置かれることと、受話器が親機の所定の位置から上げられることとが交互に繰り返された場合、情報の出力元が複数回切り替えられる。したがって、ユーザの利便性が向上する。
【００６０】
本発明の態様５に係る電話機は、上記態様１から４のいずれかにおいて、上記受話器は、親機の上記所定の位置に置かれた時点から所定時間、該受話器に対するキー入力を受け付けて、該キー入力の情報を上記親機へ送信し、上記親機は、上記受話器から受信した上記キー入力の情報に基づいて動作してもよい。
【００６１】
上記の構成によれば、ユーザは、受話器を親機の所定の位置に置いた後であっても、所定時間、受話器にキー入力操作を行うことができる。
【００６２】
本発明の態様６に係る電話機の制御方法は、親機、および上記親機と無線接続される受話器を備え、終話後に上記親機または上記受話器から、着信に関する情報を出力する電話機の制御方法であって、上記受話器が上記情報を出力している間に、上記受話器が上記親機の所定の位置に置かれた場合、上記親機からの上記情報の出力に切り替えるステップ、および、上記親機が上記情報を出力している間に、上記受話器が上記親機の上記所定の位置から上げられた場合、上記受話器からの上記情報の出力に切り替えるステップ、の少なくとも一方を含む。上記の構成によれば、上記態様１に係る電話機と同様の効果を奏することができる。
【００６３】
本発明の各態様に係る電話機は、コンピュータによって実現してもよく、この場合には、コンピュータを上記電話機が備える各部（ソフトウェア要素）として動作させることにより上記電話機をコンピュータにて実現させる電話機の制御プログラム、およびそれを記録したコンピュータ読み取り可能な記録媒体も、本発明の範疇に入る。
【００６４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００６５】
１  コードレス電話機（電話機）
１０  親機
２０  受話子機（受話器）
【図１】
2018006876.tif 000003
【図２】
2018006876.tif 000004
【図３】
2018006876.tif 000005
【図４】
2018006876.tif 000006
【図５】
2018006876.tif 000007